(57)【要約】【課題】複数の貫通孔のそれぞれに設けられた転動体が軸線方向に抜けることを防止する部材の部品数を低減することにより組み付け工数を低減することができる振動低減装置を提供する。【解決手段】捩り振動を低減するべき回転部材と一体に回転する保持部材２に、円周方向に所定の長さを有する複数の貫通孔３が互いに所定の間隔を空けて形成され、前記複数の貫通孔３のそれぞれに前記回転部材のトルクの変化に伴って前記貫通孔３の内壁面５に沿って揺動するように転動体４が設けられた振動低減装置１において、前記転動体４は、該転動体４の外周側に突出して形成され、または窪んで形成された係合部８を有し、前記係合部８が円周方向に相対的に移動することができかつ軸線方向に係合されて前記各転動体４が前記各貫通孔３から軸線方向へ抜けることを防止する位置規制部材９が、前記保持部材２に取り付けられている。【選択図】図１
2015108390.tif 000002
【特許請求の範囲】
【請求項１】
捩り振動を低減するべき回転部材と一体に回転する保持部材に、円周方向に所定の長さを有する複数の貫通孔が互いに所定の間隔を空けて形成され、前記複数の貫通孔のそれぞれに前記回転部材のトルクの変化に伴って前記貫通孔の内壁面に沿って揺動するように転動体が設けられた振動低減装置において、
前記転動体は、該転動体の外周側に突出して形成され、または窪んで形成された係合部を有し、
前記係合部が円周方向に相対的に移動することができかつ軸線方向に係合されて前記各転動体が前記各貫通孔から軸線方向へ抜けることを防止する位置規制部材が、前記保持部材に取り付けられていることを特徴とする振動低減装置。
【請求項２】
前記係合部における前記位置規制部材に接触する第１接触面が、前記位置規制部材における前記係合部と接触する第２接触面に対して傾斜して形成されていることを特徴とする請求項１に記載の振動低減装置。
【請求項３】
前記位置規制部材は、前記保持部材の半径方向において前記転動体の中心軸線よりも外周側で前記係合部と接触するように設けられていることを特徴とする請求項１または２に記載の振動低減装置。
【請求項４】
前記係合部は、前記貫通孔の幅よりも外径が大きく形成された凸部を含むことを特徴とする請求項１ないし３のいずれかに記載の振動低減装置。
【請求項５】
前記係合部は、環状に形成されたスリット部を含むことを特徴とする請求項１ないし３のいずれかに記載の振動低減装置。
【発明の詳細な説明】
【技術分野】
【０００１】
この発明は、捩り振動を低減するための装置に関し、特に転動体（振り子）を回転体に揺動もしくは転動するように保持させた振動低減装置に関するものである。
【背景技術】
【０００２】
動力源で発生させたトルクを、目的とする箇所もしくは部材に伝達するための駆動軸や歯車などの回転部材は、入力されるトルク自体の変動や負荷の変動、あるいは摩擦などが原因となって不可避的に振動する。その振動の周波数は回転数に応じて変化するとともに、二次振動以上の高次の振動も併せて発生するので、共振によって振幅が大きくなり、ひいては騒音や耐久性低下などの原因となることがある。そのため、回転によって動力を伝達する各種の機器には上記のような振動を防止するための装置もしくは機構が広く採用されている。
【０００３】
そのような振動を低減する装置の一例として、回転部材のトルクの変化に伴って転動体が揺動することにより回転部材の捩り振動を低減するように構成されたダイナミックダンパが知られている。特許文献１や特許文献２には、そのように構成されたダイナミックダンパが記載されている。特許文献１に記載されたダイナミックダンパは、振動を低減するべき回転部材に一体化されたプレート部材を備えており、そのプレート部材に円周方向に所定の長さを有する貫通孔が複数形成され、それぞれの貫通孔の外周側の内壁面（以下、転動面と記す。）に沿って揺動することができるように転動体が貫通孔に挿入されている。また、転動体は、転動面に接触する中央部と、その中央部の一方側の端部に一体に形成されかつ貫通孔の幅よりも外径が大きく形成された突起部と、中央部の他方側の端部に連結される貫通孔の幅よりも外径が大きく形成された側板とによって構成されている。これら突起部や側板は、転動体が貫通孔から軸線方向に抜けることを防止するためのものであり、転動体が軸線方向に移動したときに、それら突起部や側板とプレート部材とが接触するように構成されている。そして、特許文献１に記載された転動体は、プレート部材の一方の側面側から中央部を貫通孔に挿入した後に、貫通孔から突出した中央部に側板を組み付けられるように構成されている。なお、特許文献１に記載されたダイナミックダンパには、突起部や側板がプレート部材と接触して転動体が揺動することにより生じる摺動抵抗を低減するために、突起部や側板とプレート部材との間に軸線方向の弾性を有するワッシャが設けられている。
【０００４】
また、特許文献２に記載された転動体は、転動面に沿って揺動する中央部と、その中央部の外径よりも大きく、かつ貫通孔の幅よりも外径が小さく形成された両端部とを有し、それら中央部と両端部とが一体に形成されている。そして、転動面と対向する貫通孔の内壁面に緩衝材を組み付けるように構成されている。この特許文献２に記載されたダイナミックダンパは、転動体を貫通孔に挿入した後に、貫通孔の内壁面に緩衝材を組み付けるように構成されている。なお、特許文献２に記載された転動体の両端面には、軸線方向に突出した突起が中心軸線上に形成され、転動体が軸線方向に飛び出すことを規制する環状板がその端部と対向して配置されている。
【先行技術文献】
【特許文献】
【０００５】
【特許文献１】特開平８−９３８５４号公報
【特許文献２】特開平８−９３８５５号公報
【発明の概要】
【発明が解決しようとする課題】
【０００６】
特許文献１に記載されているように転動体を２つの部材から構成すれば、転動体と貫通孔の内壁面との隙間を小さくすることができる。その結果、プレート部材の回転数が変化して転動体に作用する遠心力が変化した場合であっても、転動体と貫通孔の内壁面とが接触することに伴って異音が生じることを抑制することができる。また、特許文献２に記載されているように各貫通孔に緩衝材を組み付けて構成した場合であっても、同様に転動体と貫通孔の内壁面との隙間を小さくすることができるので、異音が生じることを抑制することができる。
【０００７】
しかしながら、特許文献１に記載されているように転動体を２つの部材から構成すると、プレート部材に組み付ける転動体の数だけ、部品数が増加し、その部品数の増加分、組み付け工数が増加する可能性がある。また、特許文献２に記載されているように転動体を貫通孔に挿入した後に、貫通孔に緩衝材を組み付けるように構成されたダイナミックダンパの場合にも、その緩衝材を組み付ける分の部品数が増加し、その部品数の増加分、組み付け工数が増加する可能性がある。
【０００８】
この発明は上記の技術的課題に着目してなされたものであって、複数の貫通孔のそれぞれに設けられた転動体が軸線方向に抜けることを防止する部材の部品数を低減することにより組み付け工数を低減することができる振動低減装置を提供することを目的とするものである。
【課題を解決するための手段】
【０００９】
上記の目的を達成するために、請求項１の発明は、捩り振動を低減するべき回転部材と一体に回転する保持部材に、円周方向に所定の長さを有する複数の貫通孔が互いに所定の間隔を空けて形成され、前記複数の貫通孔のそれぞれに前記回転部材のトルクの変化に伴って前記貫通孔の内壁面に沿って揺動するように転動体が設けられた振動低減装置において、前記転動体は、該転動体の外周側に突出して形成され、または窪んで形成された係合部を有し、前記係合部が円周方向に相対的に移動することができかつ軸線方向に係合されて前記各転動体が前記各貫通孔から軸線方向へ抜けることを防止する位置規制部材が、前記保持部材に取り付けられていることを特徴とするものである。
【００１０】
請求項２の発明は、請求項１の発明において、前記係合部における前記位置規制部材に接触する第１接触面が、前記位置規制部材における前記係合部と接触する第２接触面に対して傾斜して形成されていることを特徴とする振動低減装置である。
【００１１】
請求項３の発明は、請求項１または２の発明において、前記位置規制部材は、前記保持部材の半径方向において前記転動体の中心軸線よりも外周側で前記係合部と接触するように設けられていることを特徴とする振動低減装置である。
【００１２】
請求項４の発明は、請求項１ないし３のいずれかの発明において、前記係合部は、前記貫通孔の幅よりも外径が大きく形成された凸部を含むことを特徴とする振動低減装置である。
【００１３】
請求項５の発明は、請求項１ないし３のいずれかの発明において、前記係合部は、環状に形成されたスリット部を含むことを特徴とする振動低減装置である。
【発明の効果】
【００１４】
この発明によれば、保持部材に形成された複数の貫通孔のそれぞれに回転部材のトルクの変化に伴って貫通孔の内壁面に沿って揺動するように転動体が設けられている。そして、転動体は、外周側に突出して形成され、または窪んで形成された係合部を有し、保持部材に取り付けられた位置規制部材と係合部とが円周方向に相対的に移動することができかつ軸線方向に係合することにより、各転動体が各貫通孔から軸線方向へ抜けることを防止するように構成されている。したがって、各転動体が各貫通孔から軸線方向に抜けることを防止する部材の部品数を少なくすることができる。その結果、振動低減装置を組み付ける工数を低減させることができる。
【００１５】
また、係合部における位置規制部材に接触する第１接触面を、位置規制部材における係合部に接触する第２接触面に対して傾斜して形成することにより、係合部と位置規制部材とが接触する面積を低減することができる。その結果、転動体が揺動する際に作用する摺動抵抗を低下させることができる。そのため、転動体や位置規制部材の耐久性が低下することを抑制することができるとともに、振動減衰効果が低下することを抑制することができる。
【００１６】
さらに、保持部材の半径方向において転動体の中心軸線よりも外周側で係合部と位置規制部材とが接触するように構成することにより、転動体が揺動する際の転動体と位置規制部材との相対速度を小さくすることができる。その結果、転動体が揺動する際に作用する摺動抵抗を低減することができるので、転動体の耐久性が低下することを抑制することができるとともに、振動減衰効果が低下することを抑制することができる。
【図面の簡単な説明】
【００１７】
【図１】この発明に係るダイナミックダンパの一例を説明するための図であり、（ａ）は正面図、（ｂ）は（ａ）におけるＢ-Ｂ線に沿う断面図である。
【図２】この発明に係るダイナミックダンパの他の例を説明するための図であり、（ｃ）は正面図、（ｄ）は（ｃ）におけるＤ-Ｄ線に沿う断面図である。
【図３】プレート部材の半径方向における内周側から位置規制部材部材により転動体の軸線方向の位置を規制するように構成されたダイナミックダンパの一例を説明するための図であり、（ｅ）は正面図、（ｆ）は（ｅ）におけるＦ-Ｆ線に沿う断面図である。
【図４】プレート部材の半径方向における内周側から位置規制部材により転動体の軸線方向の位置を規制するように構成されたダイナミックダンパの他の例を説明するための図であり、（ｇ）は正面図、（ｈ）は（ｇ）におけるＨ-Ｈ線に沿う断面図である。
【発明を実施するための形態】
【００１８】
この発明に係る振動低減装置は、捩り振動を低減するべき回転部材と一体に回転するように保持部材が設けられ、その保持部材に形成された複数の貫通孔のそれぞれに転動体が設けられ、回転部材のトルクの変化に伴って転動体が揺動することで捩り振動を低減する、いわゆるダイナミックダンパである。そのように構成されたダイナミックダンパの一例を図１に示している。図１に示すダイナミックダンパ１は、図示しないフライホイールや回転軸などの回転部材に一体化された円板状のプレート部材２を備えている。なお、図１に示す例では、プレート部材２が円板状に形成されているが、回転軸の捩り振動を低減する場合には、プレート部材２を環状に形成して回転軸にスプラインなどにより一体に回転するように連結すればよい。
【００１９】
そのプレート部材２には、円周方向に所定の長さを有する四つの貫通孔３が、互いに所定の間隔を空けて形成されている。この貫通孔３は、後述する転動体４が内壁面５に沿って揺動するように形成されている。具体的には、プレート部材２の回転数に応じた遠心力により、転動体４が貫通孔３の外周側の内壁面５に接触し、かつそのプレート部材２のトルクの変動、言い換えると回転部材のトルクの変動に伴ってその内壁面５に沿って転動体４が揺動するように構成されている。すなわち、貫通孔３の外周側の内壁面５は、転動面として機能するように形成されている。したがって、貫通孔３の外周側の内壁面５（以下、転動面５と記す。）の曲率半径は、対象とする回転部材の振動の次数に基づいて定められている。具体的には、プレート部材２の回転中心から転動体４が揺動する円弧の中心までの距離と、転動体４が揺動することにより転動体４の重心が描く円弧の半径とに基づく値が、対象とする回転部材の振動の次数になるように、転動面５の曲率半径が定められている。
【００２０】
このようにプレート部材２に形成されたそれぞれの貫通孔３には、転動面５に沿って揺動することができるように転動体４が挿入されている。ここで、図１に示す転動体４の構成について具体的に説明する。図１（ｂ）は、図１（ａ）におけるＢ-Ｂ線に沿う断面図である。図１（ｂ）に示す転動体４は、貫通孔３に挿入される円筒部６を備えている。この円筒部６は、転動体４が転動面５に沿って揺動する際に転動面５と接触する部分であって、外径が貫通孔３の幅よりも若干小さくあるいはほぼ同一となるように円筒状に形成されている。すなわち、転動体４が貫通孔３の幅方向に移動する量が小さくなるように構成されている。これは、転動体４に作用する遠心力が低下して転動体４が転動面５と対向する面７に衝突し、または転動体４に作用する遠心力が増大して転動体４が転動面５に衝突することを抑制するためである。言い換えると、転動体４が貫通孔３の内壁面５（７）と衝突することによる異音の発生を抑制するためである。
【００２１】
また、その円筒部６の一方の端部には、転動体４が貫通孔３から軸線方向に抜けることを防止する凸部８が形成されている。この凸部８は、転動体４が軸線方向に移動したときに、プレート部材２や後述する位置規制部材９に接触することにより、転動体４が貫通孔３から軸線方向に抜けることを防止するように構成されている。言い換えると、転動体４の軸線方向の位置を定めるように構成されている。具体的には、凸部８は、貫通孔３の幅よりも外径が大きく形成されている。したがって、転動体４が図１（ｂ）に示す右側に移動した場合、言い換えると円筒部６が貫通孔３に挿入される方向に転動体４が移動した場合に、凸部８とプレート部材２の側面とが接触して転動体４の移動量を規制することができるように構成されている。なお、図１に示す転動体４は、円筒部６側の端部から貫通孔３に挿入される。
【００２２】
また、その凸部８の外周部１０は、凸部８の厚み方向における中央部の外径が最も大きくなるようにテーパ状に形成されている。具体的には、凸部８の厚み方向における中央部から転動体４の端部側に向けて外径が小さくなるように形成された第１テーパ面１１と、中央部から円筒部６側に向けて外径が小さくなるように形成された第２テーパ面１２とが形成されている。これは、凸部８とプレート部材２との接触面積や凸部８と位置規制部材９との接触面積を低減させることにより、プレート部材２や位置規制部材９と凸部８とが接触した状態で転動体４が揺動したときに作用する摺動抵抗を抑制するためである。なお、図１（ｂ）に示す例では、第２テーパ面１２は、軸線方向において貫通孔３の内側まで形成されている。
【００２３】
上記のように貫通孔３に挿入された転動体４が、凸部８側に移動することを抑制するための位置規制部材９がプレート部材２に一体に設けられている。この位置規制部材９は、外径がプレート部材２の外径とほぼ同一に形成された環状の部材である。その位置規制部材９の内径は、プレート部材２に貫通孔３が形成されている箇所では、転動面５に沿うように形成され、貫通孔３が形成されていない箇所では、貫通孔３の幅の中央部を通るように所定の半径に形成されている。また、図１（ｂ）に示すように内周部１３は、プレート部材２と所定の隙間が空くように軸線方向に屈曲して形成されている。すなわち、転動体４が凸部８側に移動したときに、第１テーパ面１１と位置規制部材９の内周部１３とが接触するように構成されている。言い換えると、凸部８が位置規制部材９と円周方向に相対的に移動することができかつ軸線方向に係合するように構成されている。なお、転動体４が軸線方向に移動して位置規制部材９やプレート部材２に接触することによる異音の発生を抑制するために、転動体４が転動面５に接触しているときに、凸部８が位置規制部材９とプレート部材２とに接触するように構成されていることが好ましい。すなわち、転動体４が転動面５に沿って揺動するときに凸部８がプレート部材２と位置規制部材９と接触するように構成することが好ましい。
【００２４】
図１に示すように構成されたダイナミックダンパ１は、まず、各貫通孔３のそれぞれに転動体４が挿入される。このように転動体４を挿入する場合には、位置規制部材９が連結される側のプレート部材２の側面を鉛直方向における上方側に向けて配置し、各貫通孔３のそれぞれに転動体４を挿入する。このように転動体４を挿入することにより、凸部８とプレート部材２とが接触するので、転動体４を組み付けるときに貫通孔３から転動体４が脱落することを防止することができる。ついで、凸部８の外周面を覆うようにプレート部材２に位置規制部材９を、半径方向および円周方向に位置決めしつつボルトやリベットあるいは溶接もしくはカシメまたは接着などによって一体に連結する。このように位置規制部材９をプレート部材２に組み付けることにより、転動体４が軸線方向に移動して脱落することを抑制することができ、かつダイナミックダンパ１をユニットとして構成することができる。そして、ユニット化されたダイナミックダンパ１を回転部材に組み付ける。なお、上記のように位置規制部材９をプレート部材２に連結しているので、ダイナミックダンパ１を回転部材に組み付けるときに転動体４が脱落することを防止することができる。
【００２５】
上述したように構成されたダイナミックダンパ１は、各貫通孔３に挿入されたそれぞれの転動体４が軸線方向に抜けることを、位置規制部材９のみによって防止することができる。そのため、転動体４が軸線方向に抜けることを防止するための部材の部品数が増加することを抑制することができる。また、上記のように転動体４の一方の端部に外径が貫通孔３よりも大きい凸部８を形成するように構成されているので、転動体４を容易に貫通孔３に挿入することができる。さらに、一つの位置規制部材９をプレート部材２に組み付けることで、各転動体４が軸線方向に抜けることを防止することができる。そのため、ダイナミックダンパ１を組み付ける工数を低減させることができる。
【００２６】
また、上述したように凸部８に各テーパ面１１，１２を形成することにより、転動体４が転動面５に沿って揺動するときに、凸部８と位置規制部材９あるいはプレート部材２との接触面積を低減することができる。その結果、転動体４が揺動する際に作用する摺動抵抗を低減することができるので、転動体４の耐久性が低下することを抑制することができるとともに、振動減衰効果が低下することを抑制することができる。さらに、位置規制部材９が、プレート部材２の半径方向における外周側で転動体４の凸部８と接触するように構成されている。なお、転動体４が転動面５に沿って揺動するときには、転動体４と転動面５とが接触した位置を中心に転動体４が回転する。そのため、転動体４が転動面５に沿って揺動する際の転動体４と位置規制部材９との相対速度を小さくすることができる。その結果、転動体４が揺動する際に作用する摺動抵抗を低減することができるので、転動体４の耐久性が低下することを抑制することができるとともに、振動減衰効果が低下することを抑制することができる。
【００２７】
そして、上述したように凸部８に各テーパ面１１，１２を形成するとともに、転動体４が転動面５に接触して揺動するときに各テーパ面１１，１２と位置規制部材９およびプレート部材２とが接触するように構成することにより、プレート部材２の半径方向における転動体４の位置を規制することができる。したがって、転動体４に遠心力が作用して転動面５に接触するときに、各テーパ面１１，１２と位置規制部材９およびプレート部材２とが接触するように構成すれば、転動体４と転動面５とが衝突することによる異音の発生を抑制することができる。
【００２８】
上述した例では、貫通孔３の幅よりも外径が大きい凸部８を形成し、その凸部８と位置規制部材９とが軸線方向において係合するように構成されているが、図２に示すように転動体に環状のスリットを形成し、そのスリットに位置規制部材が軸線方向において係合するように構成されていてもよい。ここで、図２に示すダイナミックダンパ１４の構成について説明する。なお、図２（ｃ）は、ダイナミックダンパ１４の正面図であり、図２（ｄ）は、図２（ｃ）におけるＤ-Ｄ線に沿う断面図である。また、図１と同様の構成については同一の参照符号を付してその説明を省略する。図２に示す転動体１５は、外径が同一に形成された円筒状の部材であって、その転動体１５の一方の端部側に環状のスリット１６が形成されている。このスリット１６は、位置規制部材１７と接触することにより転動体１５が貫通孔３から軸線方向に抜けることを防止するように形成されている。したがって、貫通孔３から転動体１５が突出した部分にスリット１４が形成されている。また、位置規制部材１７と接触する面積を低減するために、スリット１４の両側壁面１８，１９がテーパ状に形成されている。
【００２９】
また、図２に示す位置規制部材１７は環状に形成されていて、その内径は、貫通孔３が形成されている箇所では、転動面５よりも内周側に突出するように形成されている。すなわち、貫通孔３の幅よりも位置規制部材１７の内周面と転動面５に対向した貫通孔３の内壁面７との半径方向における距離が小さくなるように構成されている。この突出した部分が、上記スリット１６に係合するように構成されている。したがって、転動体１５が軸線方向のいずれかに移動したときに、スリット１６の側壁面１８，１９と位置規制部材１７とが接触することにより、転動体１５が貫通孔３から軸線方向に抜けることを防止するように構成されている。すなわち、スリット１６が図１に示す凸部８と同様に機能するように構成されている。
【００３０】
図２に示すダイナミックダンパ１４は、まず、各転動体１５のスリット１４に位置規制部材１７の外周部を嵌合させた状態で、各転動体１５を貫通孔３に挿入しつつ、プレート部材２に位置規制部材１７を重ね合わせて連結させる。なお、そのようにプレート部材２に位置規制部材１７を連結されるときには、プレート部材２と位置規制部材１７との半径方向および円周方向の位置決めをしつつ、ボルトなどによって連結させる。
【００３１】
そのため、図２に示すようにダイナミックダンパ１４を構成することにより、位置規制部材１７によって各転動体１５が軸線方向に各貫通孔から抜けることを防止することができる。すなわち、転動体１５が貫通孔３から抜けることを防止する部品数が増加することを抑制することができる。また、位置規制部材１７により複数の転動体１５を保持させながらプレート部材２と位置規制部材１７とを組み付けるように構成されているので、ダイナミックダンパ１４を組み付ける工数を低減させることができる。
【００３２】
さらに、上述したようにスリット１６の側壁面１８，１９をテーパ状に形成することにより、転動体１５が転動面５に沿って揺動するときに、スリット１６の側壁面１８（１９）と位置規制部材１７との接触面積を低減することができる。その結果、転動体１５が揺動する際に作用する摺動抵抗を低減することができるので、転動体１５の耐久性が低下することを抑制することができるとともに、振動減衰効果が低下することを抑制することができる。また、位置規制部材１７が、プレート部材２の半径方向における外周側で転動体１５のスリット１６と接触するように構成されている。そのため、転動体１５が転動面５に沿って揺動する際の、転動体１５と位置規制部材１７との相対速度を小さくすることができる。その結果、転動体１５が揺動する際に作用する摺動抵抗を低減することができるので、転動体１５の耐久性が低下することを抑制することができるとともに、振動減衰効果が低下することを抑制することができる。
【００３３】
そして、上述したようにスリット１６の両側壁面１８，１９をテーパ状に形成するとともに、転動体１５が転動面５に接触して揺動するときにそれら両側壁面１８，１９と位置規制部材１７とが接触するように構成することにより、プレート部材２の半径方向において転動体１５の位置を規制することができる。したがって、転動体１５に遠心力が作用して転動面５に接触するときに、各側壁面１８，１９と位置規制部材１７とが接触するように構成すれば、転動体１５と転動面５とが衝突することによる異音の発生を抑制することができる。
【００３４】
なお、上述した各構成例に示すように位置規制部材が、プレート部材の半径方向における転動体の中心軸線よりも外周側で転動体と接触するように構成されたものに限らず、図３および図４に示すように転動体の中心軸線よりも内周側で転動体と位置規制部材とが接触するように構成されたものであってもよい。なお、図３は、図１における位置規制部材９の構成を変更したものであり、図３（ｅ）は正面図、図３（ｆ）は図３（ｅ）におけるＦ-Ｆ線に沿う断面図である。また、図４は、図２における位置規制部材１７の構成を変更したものであり、図４（ｇ）は正面図、図４（ｈ）は図４（ｇ）におけるＨ-Ｈ線に沿う断面図である。以下の説明では、図１および図２と同様の構成については同一の参照符号を付してその説明を省略する。
【００３５】
図３に示す例では、円板状に形成された位置規制部材２０がプレート部材２の側面に連結されている。そして、位置規制部材２０の外周部２１が、プレート部材２と対向した面とは反対側に向けて屈曲して形成されていて、その屈曲した外周部２１とプレート部材２の側面との間に凸部８が挟み込まれるように、言い換えると凸部８が軸線方向において外周部２１と係合するように構成されている。また、図４に示す例では、円板状に形成された位置規制部材２２がプレート部材２の側面に連結されている。そして、位置規制部材２２の外周部が、スリット１６に係合するように構成されている。
【００３６】
したがって、図３および図４に示すように構成されたダイナミックダンパであっても、位置規制部材２０（２２）によって各転動体４（１５）が貫通孔３から軸線方向に抜けることを防止することができ、その結果、転動体４（１５）が貫通孔３から軸線方向に抜けることを防止するための部品数が増加することを抑制することができる。また、図１や図２と同様にダイナミックダンパを組み付けることができるので、ダイナミックダンパを組み付ける工数を低減させることができる。さらに、凸部８やスリット１６にテーパ面１１，１２（１８，１９）を形成することにより、転動体４（１５）が転動面５に沿って揺動するときに、位置規制部材２０（２２）と接触する面積を低減することができる。その結果、転動体４（１５）が揺動する際に作用する摺動抵抗を低減することができるので、転動体４（１５）の耐久性が低下することを抑制することができるとともに、振動減衰効果が低下することを抑制することができる。
【００３７】
そして、上述したように凸部８やスリット１４にテーパ面１１，１２（１８，１９）を形成するとともに、転動体４（１５）が転動面に接触して揺動するときにテーパ面１１，１２（１８，１９）と位置規制部材２０（２２）あるいはプレート部材２とが接触するように構成することにより、プレート部材２の半径方向において転動体４（１５）の位置を規制することができる。したがって、転動体４（１５）に遠心力が作用して転動面５に接触するときに、テーパ面１１，１２（１８，１９）と位置規制部材２０（２２）あるいはプレート部材２とが接触するように構成すれば、転動体４（１５）と転動面５とが衝突することによる異音の発生を抑制することができる。
【００３８】
なお、上述した例では、係合部やスリットにテーパ面を形成するように構成された例を挙げて説明したが、凸部やスリットと位置規制部材やプレート部材との接触する面積を低減させ、または転動体の半径方向の位置を規制することができればよい。したがって、凸部やスリットとが位置規制部材やプレート部材に接触する面が、位置規制部材やプレート部材の側面に対して傾斜して形成されていてもよく、位置規制部材やプレート部材のエッジが凸部やスリットの側面に対して傾斜して形成されていてもよい。また、この発明に係る振動低減装置は、係合部と位置規制部材とが係合して転動体が貫通孔から軸線方向に抜けることを防止することができればよい。したがって、転動体が断面形状が矩形に形成された環状のフランジ部と、そのフランジ部よりも軸線方向に突出しかつフランジ部よりも外径が小さい軸部とを備え、そのフランジ部の側面と接触するように位置規制部材を設けるように構成されていてもよい。
【符号の説明】
【００３９】
１，１４…ダイナミックダンパ、  ２…プレート部材、  ３…貫通孔、  ４，１５…転動体、  ５…転動面、  ８…係合部、  ９，１７，２０，２２…位置規制部材、  １１，１２…テーパ面、  １６…スリット、  １８，１９…側壁面。
【図１】
2015108390.tif 000003
【図２】
2015108390.tif 000004
【図３】
2015108390.tif 000005
【図４】
2015108390.tif 000006